(57)【要約】【課題】使用者の体格に応じて使用可能になり、楽な姿勢で足三里を効率良く指圧できる足三里指圧用具を提供する。【解決手段】立てた状態の膝に沿って立設する梃棒１を設ける。該梃棒１の側面に指圧突起２を突設する。梃棒１の下端を支点とし、指圧突起２を作用点とし、梃棒１の上端部分を力点とする。膝を立てた足三里のツボを指圧突起２が押圧するように構成する。梃棒１の側面に高さを変えて複数個の指圧突起２を突設する。隣接する指圧突起２の向きが９０度ずつ異なるように構成する。【選択図】  図１
0003187342.tif 000002
【実用新案登録請求の範囲】
【請求項１】
立てた状態の膝から脛に沿って立設する梃棒を設け、該梃棒の側面に指圧突起を突設し、梃棒の下端を支点とし、指圧突起を作用点とし、梃棒の上端部分を力点として、膝を立てた状態の足三里のツボを指圧突起が押圧するように構成したことを特徴とする足三里指圧用具。
【請求項２】
前記指圧突起は、前記梃棒の側面に高さを変えて複数個突設されると共に、隣接する指圧突起の向きが９０度ずつ異なるように構成した請求項１記載の足三里指圧用具。
【請求項３】
前記梃棒の支点を立設せしめる係止凹部を形成した台座を設け、膝を立てた状態の足の下に台座を配置し、該足の外側に配置した係止凹部内に前記梃棒の支点を係止するように構成した請求項１記載の足三里指圧用具。
【請求項４】
前記台座において、前記係止凹部に重合して該係止凹部の高さを調整する高さ調整具を設け、該高さ調整具の上面に前記梃棒の支点を係止する補助係止凹部を形成した請求項３記載の足三里指圧用具。
【考案の詳細な説明】
【技術分野】
【０００１】
本考案は、特に足三里のツボを自分で指圧する際に、僅かな力で効率良く指圧できるようにした足三里指圧用具に関するものである。
【背景技術】
【０００２】
梃を利用して少ない力で効果的に指圧できるようにした指圧具が特許文献１に記載されている。この指圧具によると、上下及び横方向に回動可能にした作用棒を支柱に連結し、この作用棒１３の下面に取り付けられた加圧部１６を下向きに押さえ、患者のツボを押さえるように構成し、作用棒が梃の原理により、少ない力で指圧することができるというものである。
【０００３】
特許文献２は、梃の原理を利用して足三里を指圧するように設けた指圧機具である。この指圧機具では、足の両側に立設したテコアーム支持盤の上端に指圧アームを揺動自在に連結したもので、この揺動アームを上下に搖動させることで、足三里を押圧するように構成している。
【先行技術文献】
【特許文献】
【０００４】
【特許文献１】実開平６‐４１７３１号公報
【特許文献２】実用新案登録第３１２６５０２号公報
【考案の概要】
【考案が解決しようとする課題】
【０００５】
ところが、特許文献１に記載の指圧具や特許文献２に記載の指圧機具は、いずれも、患者が横たわる状態でなければ使用することができない構造であった。そのため、患者自ら指圧する場合には、横になった状態で指圧具を操作しなければならないので、操作性が極めて悪いものであった。
【０００６】
しかも、特許文献１に記載の指圧具は、施術台まで必要になるので大掛かりな構成にならざるを得ず、簡単な構成で足三里を効率良く押圧することはできない。
【０００７】
一方、特許文献２の指圧機具は、足三里を効率良く指圧できるように構成しているが、指圧アームにて指圧できる範囲は、テコアーム支持盤に制限されているので、足の太さによっては利用できなくなる不都合もある。
【０００８】
そこで、本考案は上述の課題を解消すべく案出されたもので、使用者の体格に応じて使用可能になり、楽な姿勢で足三里を効率良く指圧できる足三里指圧用具の提供を目的とするものである。
【課題を解決するための手段】
【０００９】
上述の目的を達成すべく本考案における第１の手段は、立てた状態の膝から脛に沿って立設する梃棒１を設け、該梃棒１の側面に指圧突起２を突設し、梃棒１の下端を支点とし、指圧突起２を作用点とし、梃棒１の上端部分を力点として、膝を立てた状態の足三里のツボを指圧突起２が押圧するように構成したことにある。
【００１０】
第２の手段において前記指圧突起２は、前記梃棒１の側面に高さを変えて複数個突設されると共に、隣接する指圧突起２の向きが９０度ずつ異なるように構成したものである。
【００１１】
第３の手段は、前記梃棒１の支点を立設せしめる係止凹部４を形成した台座３を設け、膝を立てた状態の足の下に台座３を配置し、該足の外側に配置した係止凹部４内に前記梃棒１の支点を係止するように構成したものである。
【００１２】
第４の手段は、前記台座３において、前記係止凹部４に重合して該係止凹部４の高さを調整する高さ調整具１０を設け、該高さ調整具１０の上面に前記梃棒１の支点を係止する補助係止凹部１１を形成したことにある。
【考案の効果】
【００１３】
請求項１のごとく、立てた状態の膝に沿って梃棒１を立設し、指圧突起２が足三里のツボを押圧するように構成したことにより、楽な姿勢で足三里を効率良く指圧することができる。しかも、立てた状態の膝に沿って梃棒１を立設する構造であるから、特許文献１の施術台のような大掛かりな構成や、特許文献２のテコアーム支持盤による制限で、足の太さによって利用できなくなるという不都合は解消された。
【００１４】
請求項２のように、本考案指圧突起２は、前記梃棒１の側面に高さを変えて複数個突設されると共に、隣接する指圧突起２の向きが９０度ずつ異なるように構成したものなので、使用する指圧突起２の位置や梃棒１の傾きを変えることで、指圧突起２の押圧位置を自由に調整することができる。したがって、使用者の体格がどれほど変わっても、正確に足三里の位置を指圧することができる。また、この足三里の位置から下に向けて前脛骨筋を順次押圧することも可能になり、指圧効果のみならずマッサージ効果も有効になる。
【００１５】
請求項３のごとく、梃棒１の支点を立設せしめる係止凹部４を形成した台座３を設け、膝を立てた状態の足の下に台座３を配置し、該足の外側に配置した係止凹部４内に前記梃棒１の支点を係止するように構成したことで、台座３の係止凹部４によって梃棒１の支持位置を確保することができる。この結果、梃棒１を使用する際に、床に傷などを付けずに済む。
【００１６】
請求項４のように、台座３において、前記係止凹部４に重合して該係止凹部４の高さを調整する高さ調整具１０を設けたことで、特に脚の長い者が使用する場合でも、使用者の足三里の位置に合わせることが可能になる。
【図面の簡単な説明】
【００１７】
【図１】本考案の使用状態を示す斜視図である。
【図２】本考案の他の実施例を示す分解斜視図である。
【図３】本考案の他の実施例を示す要部断面図である。
【図４】本考案の他の使用状態を示す斜視図である。
【図５】（イ）、（ロ）は、本考案の他の使用状態を示す側面図である。
【考案を実施するための形態】
【００１８】
このように本考案によると、使用者の体格に対応可能になり、楽な姿勢で足三里を効率良く指圧できるなどといった当初の目的を実現した。
【００１９】
以下、本考案の実施例を説明する。本考案は梃棒１と指圧突起２とで構成される（図１参照）。梃棒１は、所定の設置位置に立設する棒状の部材である。この梃棒１は、木材、合成樹脂材、金属材など任意の材質から選択することができるが、特に、軽量で加工性が良く、感触も良好な木材が適している。
【００２０】
そして、この梃棒１の側面に指圧突起２を突設している（図２参照）。図示の指圧突起２は、高さを変えた４個の指圧突起２を設けたものであるが、指圧突起２の数は任意に設定することが可能で１個でもよい。
【００２１】
また、複数の指圧突起２を設けた場合は、足三里の位置から下に向けて前脛骨筋を順次押圧することも可能になる（図４参照）。図示例では、隣接する指圧突起２の向きが９０度ずつ異なるように構成することで、使用する指圧突起２を他の指圧突起２が使用の妨げにならないようにしている。
【００２２】
さらに、図示例では、膝を立てた状態の足の下に設置する台座３を設け、この台座３に梃棒１を立設せしめる係止凹部４を形成している（図１参照）。そして、足の外側に配置した係止凹部４内に前記梃棒１の支点を係止するものである。この台座３を使用することで、床面を傷つけずに梃棒１の使用が可能になる。
【００２３】
図示の台座３には、さらに、係止凹部４の高さを調整する高さ調整具１０を設けている（図２参照）。この高さ調整具１０は、台座３の係止凹部４に重合して使用するもので、梃棒１を係止する補助係止凹部１１を形成している（図３参照）。
【００２４】
また、この台座３において、係止凹部４を設けた端部と反対側の端部にサンダル状の係止帯５を設けている（図５参照）。この係止帯５につま先部分を係止し、足首を伸ばすように使用することで、足三里のツボを押圧した後や、前脛骨筋全体を順次押圧した後の血液の循環をさらに良好にすることが可能になる。
【００２５】
本考案の使用方法は次の通りである。まず、立てた状態の膝から脛に沿って梃棒１を立設する（図１参照）。このとき、梃棒１の下端を支点とする。次に、指圧突起２を作用点とし、この指圧突起２が足三里のツボを押圧する位置になるように梃棒１の角度や指圧突起２の位置を選択する。
【００２６】
すなわち、おおよそ最上部の指圧突起２が、大人の足三里のツボの位置近辺に設定しているが、性別や体格差など、使用者によって正確な位置は異なる。そこで、指圧突起２の位置が足三里のツボより高い場合、梃棒１を傾斜させて指圧突起２の位置を下げた状態で足三里のツボに合わせる。このとき、梃棒１によって床面を傷付けたくない場合は台座３を使用し、また、足三里のツボの位置が指圧突起２よりも高いときは、更に高さ調整具１０を利用する（図２参照）。
【００２７】
このように、足三里のツボに合わせた指圧突起２の位置が作用点となる。そして、梃棒１の上端部分を力点として、使用者自ら操作するものである（図１参照）。指圧突起２が足三里のツボを指圧した時点で、既に、下腿全部の凝りや緊張をゆるめることができる。
【００２８】
さらに、足三里の位置から下に向けて前脛骨筋を順次押圧する場合、最上部の指圧突起２を利用して傾けながら押圧位置を下げて行く。続いて、隣接する下段の指圧突起２に使用を変更することで、指圧突起２の押圧位置を順次下げて行くことができる（図４参照）。このように前脛骨筋をマッサージすると、さらに、下腿の血行が更に促進されるものである。
【００２９】
最後に、係止帯５を利用して足首を伸ばすように動かすと、下腿の血行促進を全身の血行促進につなげることができる（図５参照）。
【００３０】
尚、本考案の構成は図示例に限定されるものではなく、梃棒１や指圧突起２の構成などは任意に変更することができるものである。
【符号の説明】
【００３１】
Ｐ  足三里
Ｑ  前脛骨筋
１  梃棒
２  指圧突起
３  台座
４  係止凹部
５  係止帯
１０  高さ調整具
１１  補助係止凹部
【図１】
0003187342.tif 000003
【図２】
0003187342.tif 000004
【図３】
0003187342.tif 000005
【図４】
0003187342.tif 000006
【図５】
0003187342.tif 000007